(57)【要約】【課題】釣用バケツ内に大きなデッドスペースを生じさせることなく釣用バケツに容易に着脱される柄杓ホルダの提供。【解決手段】柄杓ホルダ１０は、釣用バケツ２に取り付けられて柄杓１を保持するものである。柄杓ホルダ１０のホルダ本体２０は、柄杓１のカップ１２が嵌合保持され得る筒状に形成されている。また、釣用バケツ２の隅部３と対向するホルダ本体２０の背面部２１は、隅部３の形状に沿うように成形されている。ホルダ本体２０を隅部３に係止する係止具３０は、基部３１と作用部３２とを備える。基部３１は、背面部２１の形状に沿うように成形されており、背面部２１に固定される。釣用バケツ２の隅部３は、基部３１及び基部３１と協働する作用部３２によって挟み込まれ、これにより釣用バケツ２の隅部３に柄杓ホルダ１０が固定される。【選択図】図８
2008022747.tif 000002
【特許請求の範囲】
【請求項１】
釣用バケツに取り付けられ、カップおよび柄部を有する柄杓を保持する柄杓ホルダであって、
柄杓のカップが嵌合保持され得る筒状に形成され且つ外周面のうち釣用バケツの隅部と対向する特定部位が当該隅部の形状に沿うように成形されたホルダ本体と、
上記特定部位の形状に沿うように成形され且つ当該特定部位に固定された基部および当該基部と協働して上記釣用バケツの隅部を挟み込む作用部を有する係止具とを備えている柄杓ホルダ。
【請求項２】
上記係止具は、上記釣用バケツの隅部を狭持するクリップ状に形成されており、
上記基部および作用部は、互いに対向配置された弾性変形可能な薄肉平板状部材からなり、
上記作用部は、上記基部に連続して当該基部から外方に突出した後に下方に延びるＬ字状に形成された弾性変形部と、当該弾性変形部に連続し、上記釣用バケツに当接する当接面が形成された狭持片とを備えている請求項１に記載の柄杓ホルダ。
【請求項３】
上記ホルダ本体は、上面に開口を有する有底筒状部材からなり、
当該上面は、当該ホルダ本体の軸方向に直交する仮想面に対して傾斜している請求項１又は２に記載の柄杓ホルダ。
【請求項４】
釣用バケツに取り付けられ、カップおよび柄部を有する柄杓を保持する柄杓ホルダであって、
柄杓のカップが嵌合保持され得る筒状に形成され且つ外周面のうち釣用バケツの隅部と対向する特定部位が当該隅部の形状に沿うように成形された弾性変形可能なホルダ本体と、
上記ホルダ本体に設けられ、上記釣用バケツの隅部に沿うように変形した変形姿勢と上記隅部以外の平面部に沿うように真直になった真直姿勢との間で姿勢変化可能な基部および当該基部と協働して上記釣用バケツを挟み込む作用部を有する係止具とを備えている柄杓ホルダ。
【請求項５】
上記係止具は、上記釣用バケツを狭持するクリップ状に形成されており、
上記基部は、互いにヒンジ結合された複数の薄肉平板状部材からなり、
上記作用部は、上記各基部に連続して当該基部から外方に突出した後に下方に延びるＬ字状に形成された弾性変形可能な弾性変形部と、当該弾性変形部に連続し、上記釣用バケツに当接する当接面が形成された狭持片とを備えている請求項４に記載の柄杓ホルダ。
【請求項６】
上記ホルダ本体は、上面に開口を有する有底筒状部材からなり、
当該上面は、当該ホルダ本体の軸方向に直交する仮想面に対して傾斜している請求項４又は５に記載の柄杓ホルダ。
【発明の詳細な説明】
【技術分野】
【０００１】
本発明は、釣りに使用される柄杓を保持する柄杓ホルダの構造に関するものである。
【背景技術】
【０００２】
いわゆるウキ釣りでは撒餌は欠かせないものであり、釣人は、所要量の撒餌を釣場に持ち込む。この撒餌は一般に釣用バケツに収容され、釣人は、実釣中に撒餌用柄杓（以下、単に「柄杓」と称する。）を用いて少量づつ釣用バケツから撒餌を掬い取り、これを水中に投入する。
【０００３】
釣人が撒餌を水中に投入するとき以外は、およそ柄杓が使用されることはなく、したがって、釣人は、柄杓を使用した後は、これを釣用バケツに収納する。このとき、多量の撒餌が釣用バケツに収容されているならば、柄杓は撒餌の中に安定的に挿し込まれるが、釣用バケツに収容されている撒餌が残り少なくなった場合は、柄杓は釣用バケツ内に不安定に挿入される。実釣中に風等によって釣用バケツ内で柄杓が不安定に動くと、釣人の注意がウキや釣場の状況から逸らされ、釣人は釣りに集中できなくなる。そのため、従来から、柄杓を安定的に保持する柄杓ホルダが提案されている（例えば、特許文献１〜特許文献４参照）。
【０００４】
特許文献１および特許文献２並びに特許文献３および特許文献４に記載されているように、従来の柄杓ホルダは釣用バケツの側壁に取り付けられ、その一部または全部が釣用バケツの内側に配置される場合もあるが、一般には外側に配置される。ただし、特許文献１および特許文献２に記載されているように、柄杓ホルダが釣用バケツの外側に配置された場合には、釣用バケツの内部にデッドスペースが生じないという利点がある。
【０００５】
従来の柄杓ホルダは、釣用バケツの側壁に係止する係止具を備えている。この係止具は、一般にクリップ状に形成されており、釣用バケツの側壁の平坦部を挟持することができるようになっている。すなわち、従来の柄杓ホルダは、釣用バケツの側壁の平坦部に取り付けられるようになっている。
【０００６】
【特許文献１】特開２００６−５５１０７号公報
【特許文献２】特開２００５−２３７３１５号公報
【特許文献３】特開２００１−２７５５３８号公報
【特許文献４】特開２００１−３５２８８２号公報
【発明の開示】
【発明が解決しようとする課題】
【０００７】
ところで、たとえば磯釣り等では、釣人の立ち位置に沿って岩壁が切り立っていることも少なくない。そのような場合には、釣用バケツの載置スペースがきわめて狭くなることもあり、そのため、釣人は、釣用バケツをコンパクトに載置するために、柄杓ホルダを釣用バケツの内部に配置する（特許文献３参照）。
【０００８】
しかし、前述のように、柄杓ホルダは、釣用バケツの側壁の平坦部に取り付けられるものであるから、柄杓ホルダが釣用バケツの内部に配置されると、釣用バケツの内部に大きなデッドスペースが生じると共に、柄杓を用いて撒餌を掬う作業がしづらくなる。このような不都合を緩和するためには、デッドスペースが小さくなるような位置（たとえば釣用バケツの隅部）に柄杓ホルダが配置されればよいが、柄杓ホルダの係止具の構造上、釣用バケツの側壁の平坦部以外の部分に係止具を係合させることは困難である。もっとも、上記係止具が樹脂等の可撓性材料から構成される場合には、当該係止具が釣用バケツの隅部に強引に差し込まれることによって柄杓ホルダが釣用バケツの隅部に配置され得る。しかしながら、これでは柄杓ホルダの取り外しが困難になるばかりか、上記係止具や釣用バケツが損傷を受けるおそれがある。
【０００９】
そこで、本発明の目的は、釣用バケツ内に大きなデッドスペースを生じさせることなく釣用バケツに容易に着脱される柄杓ホルダを提供することである。
【課題を解決するための手段】
【００１０】
(1) 上記目的が達成されるため、本発明に係る柄杓ホルダは、釣用バケツに取り付けられ、カップおよび柄部を有する柄杓を保持する柄杓ホルダであって、柄杓のカップが嵌合保持され得る筒状に形成され且つ外周面のうち釣用バケツの隅部と対向する特定部位が当該隅部の形状に沿うように成形されたホルダ本体と、上記特定部位の形状に沿うように成形され且つ当該特定部位に固定された基部および当該基部と協働して上記釣用バケツの隅部を挟み込む作用部を有する係止具とを備えている。
【００１１】
釣りにおいて使用される餌は、釣用バケツに収容される。一般に釣用バケツは、上面に開口が設けられた略直方体の容器であり、この容器は、底部と、底部の周縁に立設された平面状の壁部とを備え、隣り合う壁部間に隅部が形成されている。ホルダ本体の外周面のうちの特定部位が釣用バケツの隅部に沿うように成形されているから、ホルダ本体が釣用バケツの内側の隅部に配置されたとしても、このホルダ本体は、釣用バケツの隅部に大きなデッドスペースを生じさせることなく効率的にコンパクトに配置される。具体的には、釣人は、ホルダ本体を釣用バケツの開口を通じて上方から当該釣用バケツの内部に挿入する。このとき、釣用バケツの開口の縁部のうち上記隅部に対応する部分が係止具の基部と作用部との間に挿入され、これら基部および作用部によって狭持される。
【００１２】
(2) 上記係止具は、上記釣用バケツの隅部を狭持するクリップ状に形成されており、上記基部および作用部は、互いに対向配置された弾性変形可能な薄肉平板状部材からなり、上記作用部は、上記基部に連続して当該基部から外方に突出した後に下方に延びるＬ字状に形成された弾性変形部と、当該弾性変形部に連続し、上記釣用バケツに当接する当接面が形成された狭持片とを備えていてもよい。
【００１３】
この構成では、弾性変形部が弾性変形して狭持片が基部から離反することにより、釣用バケツが上記基部と作用部との間に挿入される。この状態で、弾性変形部は、もとの状態に復帰しようとするから、釣用バケツは、基部と狭持片の当接面との間に所定の弾性力で挟み込まれることによって保持される。つまり、ホルダ本体に設けられた係止具は、当該ホルダ本体を釣用バケツに係止するクリップとして機能する。
【００１４】
(3) 上記ホルダ本体は、上面に開口を有する有底筒状部材からなり、当該上面は、当該ホルダ本体の軸方向に直交する仮想面に対して傾斜していることが好ましい。
【００１５】
ホルダ本体の上面が傾斜しているので、当該上面に設けられた開口の面積が増大する。したがって、柄杓をホルダ本体に対して挿抜する作業が容易になる。
【００１６】
(4) また、本発明に係る柄杓ホルダは、釣用バケツに取り付けられ、カップおよび柄部を有する柄杓を保持する柄杓ホルダであって、柄杓のカップが嵌合保持され得る筒状に形成され且つ外周面のうち釣用バケツの隅部と対向する特定部位が当該隅部の形状に沿うように成形された弾性変形可能なホルダ本体と、上記ホルダ本体に設けられ、上記釣用バケツの隅部に沿うように変形した変形姿勢と上記隅部以外の平面部に沿うように真直になった真直姿勢との間で姿勢変化可能な基部および当該基部と協働して上記釣用バケツを挟み込む作用部を有する係止具とを備えている。
【００１７】
釣りにおいて使用される餌は、釣用バケツに収容される。一般に釣用バケツは、上面に開口が設けられた略直方体の容器であり、この容器は、底部と、底部の周縁に立設された平面状の壁部とを備え、隣り合う壁部間に隅部が形成されている。ホルダ本体の外周面のうち特定部位が釣用バケツの隅部に沿うように成形されているから、ホルダ本体が釣用バケツの内側の隅部に配置されたとしても、このホルダ本体は、釣用バケツの隅部に大きなデッドスペースを生じさせることなく効率的にコンパクトに配置される。具体的には、釣人は、ホルダ本体を釣用バケツの開口を通じて上方から当該釣用バケツの内側に挿入する。このとき、係止具は変形姿勢となる。したがって、釣用バケツの開口の縁部のうち上記隅部に対応する部分が係止具の基部と作用部との間に無理なく円滑に挿入され、これら基部および作用部によって狭持される。
【００１８】
また、釣用バケツ内の餌が少なくなった場合は、釣用バケツ内にデッドスペースが生じたとしても特に大きな問題ではない。したがって、釣用バケツ内の餌が少なくなった場合は、ホルダ本体は、釣用バケツの内側であって上記平面状の壁部に装着され得る。この場合も釣人は、ホルダ本体を釣用バケツの開口を通じて上方から当該釣用バケツの内部に挿入する。このとき、係止具は真直姿勢となる。しかも、特定部位がこれに追従して弾性変形し真直になる。したがって、釣用バケツの開口の縁部のうち上記平面状の壁部に対応する部分が係止具の基部と作用部との間に無理なく円滑に挿入され、これら基部および作用部によって狭持される。
【００１９】
(5) 上記係止具は、上記釣用バケツを狭持するクリップ状に形成されており、上記基部は、互いにヒンジ結合された複数の薄肉平板状部材からなり、上記作用部は、上記各基部に連続して当該基部から外方に突出した後に下方に延びるＬ字状に形成された弾性変形可能な弾性変形部と、当該弾性変形部に連続し、上記釣用バケツに当接する当接面が形成された狭持片とを備えていてもよい。
【００２０】
この構成では、上記基部は、ヒンジを介して自在に回動することができるので、係止具は、上記変形姿勢と上記真直姿勢との間で自由に姿勢変化することができる。したがって、ホルダ本体は、釣用バケツの平面部分であっても隅部であっても容易に取り付けられる。
【００２１】
(6) 上記ホルダ本体は、上面に開口を有する有底筒状部材からなり、当該上面は、当該ホルダ本体の軸方向に直交する仮想面に対して傾斜していることが好ましい。
【００２２】
ホルダ本体の上面が傾斜しているので、当該上面に設けられた開口の面積が増大する。したがって、柄杓をホルダ本体に対して挿抜する作業が容易になる。
【発明の効果】
【００２３】
本発明によれば、ホルダ本体及び係止具が共に釣用バケツの隅部に沿うように成形されているので、柄杓ホルダが釣用バケツの隅部を埋めるように配置される。このため、柄杓ホルダが釣用バケツの内側に配置されたとしても、釣用バケツの内側に大きなデッドスペースが生じることがなく、柄杓ホルダが釣用バケツに収容された撒餌等を掬う作業の邪魔になることがない。また、係止具が釣用バケツの隅部に沿うような形状であるので、釣用バケツや係止具を傷つけることなく柄杓ホルダを釣用バケツに容易に着脱することができる。
【発明を実施するための最良の形態】
【００２４】
以下、適宜図面が参照されつつ、好ましい実施形態に基づいて本発明が詳細に説明される。なお、以下の実施形態は本発明が具体化された一例にすぎず、本発明の要旨を変更しない範囲で、実施形態が適宜変更され得ることは勿論である。
【００２５】
＜第１の実施形態＞
【００２６】
図１は、本発明の第１の実施形態に係る柄杓ホルダ１０の正面側の外観斜視図である。図２は、柄杓ホルダ１０の背面側の外観斜視図である。
【００２７】
例えば磯におけるウキ釣りでは、釣人は、主として撒餌を海中に投入するために柄杓１（図１１参照）を使用する。柄杓１は、図１１が示すように、カップ１２および柄部１３を有する。カップ１２は、略卵形に形成されたものであり、柄部１３の一端に設けられている。このカップ１２によって釣用バケツ２（図１１参照）から撒餌が掬い取られる。柄部１３の他端側には、釣人によって把持されるグリップ１４が設けられている。釣人は、グリップ１４を握って釣用バケツ２から撒餌を掬い取り、海中へ投入する。本実施形態に係る柄杓ホルダ１０は、この柄杓１を保持するものであり、釣用バケツ２に取り付けられた状態で使用される。この柄杓ホルダ１０の特徴とするところは、釣用バケツ２の隅部３に取り付け可能に構成されている点である。これにより、釣用バケツ２の内側に柄杓ホルダ１０が配置されても、釣用バケツ２内に大きなデッドスペースができることがない。なお、隅部３は、釣用バケツ２の壁１１のうち、隣り合う平面状の平面部６（壁部）間に形成された湾曲部分である（図８参照）。
【００２８】
柄杓ホルダ１０は、図１及び図２が示すように、ホルダ本体２０と、ホルダ本体２０の背面部２１（特定部位）の上端側に固定された係止具３０とを備えている。
【００２９】
ホルダ本体２０は、上面２４に開口２５を有する有底筒状部材からなる。換言すれば、ホルダ本体２０は、上面２４に開口２５を有し、且つ底面部２２を有する容器状に構成されている。ホルダ本体２０は、底面部２２と、底面部２２の周縁に立設された側面部２３とを備えている。底面部２２及び側面部２３は、シート状の合成樹脂から構成されている。合成樹脂としては、例えば、エチレン酢酸ビニル共重合体（ＥＶＡ）が好適に採用される。
【００３０】
底面部２２は、長径が８ｃｍ程度、短径が５．５ｃｍ程度の楕円形状のものである。底面部２２は、図には表れていないが、ホルダ本体２０の内側に凸となるように湾曲している。底面部２２がこのように構成されることにより、ホルダ本体２０に挿し込まれた柄杓１のカップ１２の先端が底面部２２によって安定的に支持される。なお、底面部２２の外形寸法は、上記カップ１２の大きさに合わせて適宜変更され得る。
【００３１】
側面部２３は、シート状の合成樹脂からなり、両側縁２７，２８が背面側で互いに溶着されることにより筒状に成形されたものである（図２参照）。側面部２３は、その下端の周縁が上記底面部２２の周縁に溶着されており、これによりホルダ本体２０が構成されている。側面部２３の高さは、柄杓ホルダ１０が釣用バケツ２に取り付けられた状態（図９参照）で底面部２２が釣用バケツ２の底部４に当接するように、本実施形態においては２１ｃｍ〜２４ｃｍ程度に設定されている。ただし、柄杓ホルダ１０に挿し込まれた柄杓１が安定的に支持されるならば、側面部２３の高さは上記範囲に限定されるものではなく、柄杓１の長さに応じて適宜変更されてもよい。
【００３２】
側面部２３は、ホルダ本体２０の内部空間における水平方向の面積が、底面部２２側よりも上面２４側の方が若干大きくなるように構成されている。すなわち、ホルダ本体２０は、底面部２２から上面２４へ向けて徐々に拡径されている。側面部２３の上端には、環状の芯材が設けられている。側面部２３の上端は、この芯材の内側から外側へ巻き掛けられ、側面部２３の外周面に溶着されている。これにより、側面部２３の上端に上記上面２４が構成され、芯材の内側に開口２５が形成されている。このようにホルダ本体２０が構成されることにより、ホルダ本体２０の上面２４に底面部２２と略同じ形状（略楕円形状）で底面部２２よりも若干広い開口２５が形成される。なお、本実施形態においては、開口２５の形状が容易に変形しないように、例えばステンレス等の金属製の芯材が用いられるが、芯材はこれに限定されるものではない。芯材は、例えば弾性変形可能なゴム等で構成されてもよい。なお、ホルダ本体２０は、例えば海水等を溜めておくことができるように、防水構造が採用されている。
【００３３】
ホルダ本体２０は、柄杓ホルダ１０が釣用バケツ２の隅部３に取り付けられることによって隅部３に沿って配置される。このホルダ本体２０は、ホルダ本体２０の外周面のうち釣用バケツ２の隅部３と対向する背面部２１が隅部３の形状に沿うように成形されている。すなわち、背面部２１は、隅部３の内側の湾曲面に沿うように成形されている。これにより、柄杓ホルダ１０が隅部３に取り付けられた場合に、隅部３と背面部２１とが当接してこれらの間に隙間ができないようになっている。
【００３４】
上述のように、側面部２３が底面部２２に立設されているので、ホルダ本体２０の内部空間における底面部２２側の広さは、この底面部２２の大きさによって決定される。また、底面部２２及び側面部２３は、ホルダ本体２０に挿し込まれた柄杓１のカップ１２を保持するものである。したがって、底面部２２の寸法は、柄杓１のカップ１２の大きさを考慮して設定されるものである。本実施形態においては、底面部２２が上記寸法に設定されているので、側面部２３の内部空間における底面部２２側の面積がカップ１２よりも若干大きくなっており、ホルダ本体２０によって柄杓１のカップ１２が嵌合保持されるようになっている。もっとも、底面部２２の大きさは、側面部２３がカップ１２を狭持するように設定されていてもよい。要するに、ホルダ本体２０に挿し込まれた柄杓１のカップ１２が不安定に動くことなく、側面部２３及び底面部２２によって安定的に保持されるようになっていればよい。
【００３５】
図３は、ホルダ本体２０に固定された係止具３０の拡大斜視図である。図４は、係止具３０をホルダ本体２０に固定するための外布２９を示す平面図である。
【００３６】
背面部２１の上端側には、ポケット２６が設けられている。ポケット２６は、係止具３０を背面部２１の上端側に固定するものであり、背面部２１及び外布２９によって構成されている。外布２９は、ホルダ本体２０と同じ材質のシート状の合成樹脂であり、図４が示すように概ね凹形状となるように構成されている。この外布２９の両側部４０，４１及び下部４２が背面部２１に溶着されることにより、上方に開口を有するポケット２６が構成される。後述されるが、係止具３０は、図５および図６が示すように、基部３１が凹形状に成形されており、当該基部３１が上記ポケット２６に収容される。この状態では、係止具３０はポケット２６に対して挿抜可能である。基部３１がポケット２６に収容された状態で外布２９の上部４３が背面部２１に溶着される。これにより、基部３１の上方への移動が規制され、係止具３０がホルダ本体２０に固定される。ただし、係止具３０の基部３１を背面部２１に当接させた状態で、外布２９の側部４０，４１、下部４２及び上部４３を背面部２１に同時に溶着させて係止具３０を固定するようにしてもよい。
【００３７】
図５及び図６は、係止具３０の拡大斜視図である。
【００３８】
係止具３０は、釣用バケツ２の開口５の縁部のうち隅部３に対応する部分を狭持するものであり、クリップ状に形成されている。係止具３０は、弾性変形が可能であり、可撓性を備えている。係止具３０は、図５及び図６が示すように、基部３１及び作用部３２ａ，３２ｂを有する。基部３１及び作用部３２ａ，３２ｂは、互いに対向配置されており、基部３１及び作用部３２ａ，３２ｂ間に釣用バケツ２の隅部３が挿入される。基部３１及び作用部３２ａ，３２ｂは、合成樹脂などからなる薄肉平板状部材により一体的に構成されており、側方から見て略Ｒ字状となるように成形されている（図５参照）。
【００３９】
基部３１は、上記ポケット２６（図３参照）に収容されてホルダ本体２０の背面部２１に固定される部分である。この基部３１は、横方向を長手方向とする略矩形状の基部本体５０と、基部本体５０の両側から上方へ延びるように設けられた凸部３７ａ，３７ｂを有している。基部５０は、このように構成されることによって全体として略凹字状に成形されている。凸部３７ａと凸部３７ｂとの間には空間が設けられている。上記外布２９（図３参照）の上部４３とホルダ本体２０の背面部２１とは、これら凸部３７ａ，３７ｂ間の空間を通して互いに当接可能となっている。基部本体５０及び凸部３７ａ，３７ｂは、全体的にホルダ本体２０の背面部２１の形状に沿うように湾曲した形状に成形されている（図３及び図６参照）。基部３１は、上記ポケット２６に挿入された後に外布２９の上部４３が背面部２１に溶着されることによりホルダ本体２０に固定される。すなわち、基部３１は、背面部２１と外布２９との間に挟み込まれるようにしてホルダ本体２０に固定される。凸部３７ａ，３７ｂの上端には、作用部３２ａ，３２ｂが設けられている。作用部３２ａ，３２ｂは、基部３１がホルダ本体２０に固定された状態でホルダ本体２０の外方（図７において右方向）へ延びる。
【００４０】
作用部３２ａは、基部３１と協働して釣用バケツ２の隅部３を挟み込むものである。この作用部３２ａは、弾性変形部３３ａと狭持片３５ａとを備えている。弾性変形部３３ａは、突出部４５ａ及び下延部４６ａを有しており、全体として略Ｌ字状に形成されている。突出部４５ａは、基部３１の凸部３７ａに連続して基部３１から外方（図５及び図７において右方向）に突出するように設けられている。下延部４６ａは、突出部４５ａに連続して下方に延びるように設けられている。狭持片３５ａに外側に向かって外力が作用した場合は、弾性変形部３３ａが弾性的に変形し、基部３１と狭持片３５ａとが互いに離間する。
【００４１】
狭持片３５ａは、弾性変形部３３ａに連続して設けられており、内延部４７ａ、当接部４８ａ、及び傾斜部４９ａを有している。内延部４７ａは、下延部４６ａの下端に連続して基部３１へ向けて延びている。当接部４８ａは、この内延部４７ａに連続して下方に延びている。当接部４８ａには、基部３１と対向する当接面３４ａが形成されている。当接面３４ａは、釣用バケツ２に当接する面であり、当接面３４ａと基部３１によって釣用バケツ２の開口５の縁部における隅部３に対応する部分が挟み込まれるようになっている（図１０参照）。なお、基部３１及び当接面３４ａ間の距離は、釣用バケツ２の隅部３の上端部分（芯材が設けられた部分）の厚さよりも若干狭くなるように設定されている。傾斜部４９ａは、当接部４８ａに連続して当該当接部４８ａに対して外方に傾斜するように設けられている。すなわち、傾斜部４９ａは、下方へ向けて基部３１から離間するように当接部４８ａから連続して成形されている。これにより、基部３１と作用部３２ａとの間に釣用バケツ２の隅部３の上端が挿し込まれやすくなっている。なお、作用部３２ｂは、上記作用部３２ａと同様の要領で構成されたものであるため、ここでの詳細な説明は省略される。作用部３２ｂは、作用部３２ａと同様に構成されたものであるため、釣用バケツ２の開口５の縁部のうち隅部３に対応する部分は、基部３１及び作用部３２ａによって狭持されると同時に、基部３１及び作用部３２ｂによって狭持される（図１０参照）。
【００４２】
図７は、柄杓ホルダ１０の要部拡大側面図である。
【００４３】
ホルダ本体２０の側面部２３の上端は、図７が示すように、環状の芯材が背面部２１（図２参照）から前面部１８（図９参照）に向けて下方へ傾斜するように配置された状態で当該芯材に巻き掛けられている。これにより、図７が示すように、ホルダ本体２０の上面２４は、ホルダ本体２０の軸Ｏ方向に直交する仮想面Ｆに対して角度αだけ傾斜している。この角度αは、本実施形態では５°〜６０°の範囲内である。
【００４４】
図８は、柄杓ホルダ１０が釣用バケツ２の隅部３に取り付けられる様子を示す斜視図である。図９は、柄杓ホルダ１０が取り付けられた釣用バケツ２の隅部３を示す斜視図である。図１０は、柄杓ホルダ１０の係止具３０によって狭持された釣用バケツ２の隅部３を示す拡大斜視図である。
【００４５】
釣用バケツ２は、魚釣りの際に用いられる釣餌を収容するための容器として使用されるものである。釣用バケツ２のバケツ本体７は、略直方体形状に形成されており、その上面８には開口５が形成されている。このバケツ本体７に、撒餌などの釣餌が収容される。釣餌としては、一般に、生或いはボイルされたオキアミや、アミエビなどが使用される。これらの釣餌は水分を多く含むため、バケツ本体７は防水構造が採用されている。バケツ本体７のサイズは、所要量の撒餌を収容可能なサイズに設定されており、例えば、横幅が３０ｃｍ〜５０ｃｍ程度に設定されている。なお、バケツ本体７のサイズはこれに限定されるものではなく、多様なサイズを採用することができる。
【００４６】
バケツ本体７は、略長方形状の底部４と、底部４の周縁に立設された壁１１とを備えている。壁１１は、前述のように平面状に形成された４つの平面部６、及び、隣接する平面部６間に形成された４つの隅部３によって構成されている。底部４及び壁１１は、シート状の合成樹脂から構成されている。合成樹脂としては、例えば、エチレン酢酸ビニル共重合体（ＥＶＡ）が好適に採用される。図には示されていないが、壁１１の上端には、バケツ本体７の開口５の周縁部に沿うように環状に形成された芯材が設けられている。壁１１の上端部は、この芯材に巻き掛けられるように芯材の内側から外側へ折り返され、所定位置において壁１１の外側面に溶着されている。上記芯材は、例えばステンレススチールから構成され得る。上記柄杓ホルダ１０の係止具３０は、壁１１の上端によって覆われたこの芯材に引っ掛けられるようにして隅部３に係合される。
【００４７】
図８が示すように、バケツ本体７は把手９を備えている。把手９は、バケツ本体７の長辺を含む両側面に設けられている。釣人は、これら一対の把手９を握って釣用バケツ２を容易に持ち運ぶことができる。なお、壁１１の上縁には上蓋が設けられていてもよい。この上蓋は、ファスナーを介してバケツ本体７に取り付けられるのが好ましい。このファスナーが操作されることによってバケツ本体７の開口５が開閉され得る。
【００４８】
前述のように、バケツ本体７は、底部４と、底部４の周縁に立設された平面状の平面部６（壁部）とを備え、隣り合う平面部６間に隅部３が形成されている。上記柄杓ホルダ１０は、バケツ本体７の開口５が開放された状態でこの隅部３に好適に配置されるようになっている。
【００４９】
本実施形態に係る柄杓ホルダ１０は、以下のように使用される。
【００５０】
図８が示すように、釣人は、釣用バケツ２に柄杓ホルダ１０を取り付ける場合、ホルダ本体２０を釣用バケツ２の開口５を通じて上方から釣用バケツ２の内部に挿入する。具体的には、釣人は、柄杓ホルダ１０の背面部２１が隅部３の内側に当接するように柄杓ホルダ１０を挿入する。このとき、釣用バケツ２の開口５の縁部のうち上記隅部３に対応する部分が係止具３０の基部３１と作用部３２（３２ａ，３２ｂ）との間に挿入される。釣用バケツ２の隅部３が基部３１と作用部３２との間に挿入されると、隅部３の上端は、まず狭持片３５ａ，３５ｂ（図５参照）によって案内され、基部３１及び当接面３４ａ，３４ｂ（図５参照）に当接する。この状態から更に隅部３が挿入されると、弾性変形部３３が弾性変形して狭持片３５ａ，３５ｂが基部３１から離反し、釣用バケツ２の隅部３の上端が基部３１と作用部３２との間に深く挿入される。具体的には、隅部３の上端において芯材が配置されている部分が基部３１と弾性変形部３３ａ，３３ｂとの間の空間に挿入される。この状態で、弾性変形部３３は、もとの状態に復帰しようとするから、釣用バケツ２は、基部３１と、狭持片３５ａ，３５ｂの当接面３４ａ，３４ｂとの間に所定の弾性力で挟み込まれることによって保持される（図９及び図１０参照）。つまり、ホルダ本体２０に設けられた係止具３０は、ホルダ本体２０を釣用バケツ２に係止するクリップとして機能する。
【００５１】
釣用バケツ２の隅部３に当接するホルダ本体２０の背面部２１は、釣用バケツ２の隅部３に沿うように湾曲されている。また、係止具３０の基部３１は、背面部２１の形状に沿うように成形されているので、係止具３０は、隅部３の湾曲面に沿うように配置され得る。したがって、柄杓ホルダ１０が釣用バケツ２の内側に配置されたとしても、ホルダ本体２０が隅部３に密着されるように配置される。そのため、ホルダ本体２０が釣用バケツ２の内側に配置されたとしても、このホルダ本体２０は、釣用バケツ２の隅部３に大きなデッドスペースを生じさせることなく効率的にコンパクトに配置される。換言すれば、釣用バケツ２の壁１１と柄杓ホルダ１０との隙間に釣餌が入り込み、釣用バケツ２に収容された釣餌を使い切ることができないといった問題が生じることが防止される。さらに、柄杓ホルダ１０は、釣用バケツ２の内側に配置された際にその底面部２２が釣用バケツ２の底部４に当接するので、柄杓ホルダ１０の下にデッドスペースが生じることもない。したがって、柄杓１を用いて釣用バケツ２から釣餌を掬う作業がしづらくなることがないという利点がある。
【００５２】
また、係止具３０の基部３１が釣用バケツ２の隅部３に沿うような形状であるので、釣用バケツ２や係止具３０を傷つけることなく柄杓ホルダ１０を釣用バケツ２に容易に着脱することができる。換言すれば、係止具３０に対して無理な変形を加えなくても、柄杓ホルダ１０を隅部３に容易に着脱することができる。
【００５３】
図１１は、釣用バケツ２の隅部３に取り付けられた柄杓ホルダ１０に柄杓１が挿し込まれる様子を示す斜視図である。
【００５４】
柄杓ホルダ１０は、釣用バケツ２の内側における隅部３に取り付けられている。柄杓１は、この柄杓ホルダ１０に収容される。典型的には、柄杓１は、開口２５を通してカップ１２からホルダ本体２０内に挿入され、ホルダ本体２０に沿って保持される。一方、柄杓１が使用されるときは、釣人は、グリップ１４を掴んでホルダ本体２０から柄杓１を引き抜く。前述のように（図７参照）、ホルダ本体２０の上面２４は、背面部２１から前面部１８に向けて下方へ傾斜しているので、上面２４に設けられた開口２５の面積が増大している。また、柄杓ホルダ１０が釣用バケツ２の隅部３に取り付けられた状態では、上記上面２４は、釣用バケツ２の内側へ向けて傾斜する。したがって、釣人が柄杓１をホルダ本体２０に挿抜する作業は容易である。
【００５５】
＜第２の実施形態＞
【００５６】
図１２は、本発明の第２の実施形態に係る係止具６０を示す斜視図である。図１３は、本発明の第２の実施形態に係る係止具６０を示す分解斜視図である。
【００５７】
本実施形態に係る柄杓ホルダ１０が第１の実施形態に係る柄杓ホルダ１０と異なるところは、ホルダ本体２０が弾性変形可能に構成されている点、及び上記第１の実施形態では、基部３１が一体的に形成された係止具３０がホルダ本体２０に設けられていたのに対し、本実施形態では、当該基部３１が二分割され、後述のように姿勢変化可能な係止具６０がホルダ本体２０に設けられている点である。なお、図１２〜図１４においては、第１の実施形態に係る柄杓ホルダ１０と同様の構成要素については同一符号が付与されており、当該柄杓ホルダ１０と異なる点について以下に説明される。
【００５８】
本実施形態に係るホルダ本体２０は、図には示されていないが、上記開口２５（図１参照）を構成する芯材が例えば弾性変形可能なゴム等により構成されている。これにより、ホルダ本体２０は、全体的に弾性変形可能に構成されている。換言すれば、第２の実施形態におけるホルダ本体２０は、後述される係止具６０の姿勢変化に追従して容易に変形するように可撓性を備えている。
【００５９】
本実施形態に係る係止具６０の基部３１は、互いにヒンジ結合された２つの薄肉平板部材からなる。具体的には、係止具６０は、第１の実施形態における基部３１が２つの基部３１ａ，３１ｂに分割されている。そして、各基部３１ａ，３１ｂに連続して上記弾性変形部３３ａ，３３ｂと上記狭持片３５ａ，３５ｂとが設けられている。すなわち、基部３１ａに連続して弾性変形部３３ａと狭持片３５ａとが設けられ、基部３１ｂに連続して弾性変形部３３ｂと狭持片３５ｂとが設けられている。図１２及び図１３が示すように、基部３１ａの基部本体５０ａには、基部３１ｂへ向けて突出する凸部６２が形成されており、凸部６２には上下方向に貫通する貫通孔６５（図１３参照）が設けられている。基部３１ｂの基部本体５０ｂには、基部３１ａの凸部６２が嵌め込まれる部分が切除された凹部６３が形成されており、凹部６３には上下方向に貫通する貫通孔６６，６７が穿設されている。基部３１ａ及び基部３１ｂは、連結ピン６９が貫通孔６６，６５，６７に挿通されることにより互いに回動可能な状態で連結されている。このように、２つの基部３１ａ，３１ｂは、互いにヒンジ結合されている。なお、本実施形態においては、基部３１が２つに分割されて互いにヒンジ結合されているが、基部３１が３つ以上に分割されて互いにヒンジ結合される形態であってもよい。
【００６０】
本実施形態に係る柄杓ホルダ１０は、上述のように弾性変形可能に構成されたホルダ本体２０の背面部２１に上記係止具６０が設けられたものである。
【００６１】
図１４は、第２の実施形態に係る係止具６０が釣用バケツ２の壁１１を挟み込んだ状態を示す模式断面図であり、（ａ）は釣用バケツ２の隅部３を挟み込んだ状態、（ｂ）は、釣用バケツ２の平面部６を挟み込んだ状態を示している。なお、図１４においては、ホルダ本体２０やポケット２６等は省略されている。
【００６２】
上述のように、基部３１ａ及び基部３１ｂが互いに回動自在となっており、また係止具６０が固定されたホルダ本体２０が弾性変形可能に構成されているので、基部３１ａ及び基部３１ｂは、変形姿勢と真直姿勢との間で姿勢変化が可能である。ここで、変形姿勢は、係止具６０が釣用バケツ２の隅部３に沿うように変形した姿勢である（図１４（ａ）参照）。この変形姿勢は、第１の実施形態に係る係止具３０の基部３１と略同じ姿勢である。真直姿勢は、係止具６０が隅部３以外の平面部６に沿うように真直になった姿勢である（図１４（ｂ）参照）。
【００６３】
釣用バケツ２内に釣餌が多く収容されている場合は、釣用バケツ２内にデッドスペースが生じると問題となる。したがって、釣用バケツ２内に釣餌が多くある場合は、ホルダ本体２０は、釣用バケツ２の隅部３に装着される。このとき、係止具６０は変形姿勢となっており（図１４（ａ）参照）、ホルダ本体２０は、上記第１の実施形態において説明したように、釣用バケツ２の隅部３にコンパクトに配置される。
【００６４】
一方、釣用バケツ２内の釣餌が少なくなった場合は、釣用バケツ２内にデッドスペースが生じたとしても特に大きな問題ではない。したがって、釣用バケツ２内の釣餌が少なくなった場合は、ホルダ本体２０は、図には示されていないが、釣用バケツ２の内側の平面部６に沿って装着されても、実釣上特に問題はない。この場合も釣人は、ホルダ本体２０を釣用バケツ２の開口５を通じて上方から釣用バケツ２の内部に挿入する。このとき、係止具６０は真直姿勢となる（図１４（ｂ）参照）。しかも、ホルダ本体２０の背面部２１がこれに追従して真直になる。したがって、釣用バケツ２の開口５の上縁のうち平面部６に対応する部分が係止具６０の基部３１ａと作用部３２ａとの間、並びに係止具６０の基部３１ｂと作用部３２ｂとの間に円滑に挿入され、これら基部３１ａ，３１ｂおよび作用部３２ａ，３２ｂによって狭持される。すなわち、基部３１及び作用部３２は、壁１１の上縁のうち隅部３に対応する部分だけでなく平面部６に対応する部分も狭持可能である。なお、本実施形態においては、基部３１ａ，３１ｂが連続的に湾曲した形状に成形されているが、基部３１ａ，３１ｂは、平板状のものであってもよい。
【００６５】
このように、基部３１ａ及び基部３１ｂが互いにヒンジ結合されているので、係止具６０は、変形姿勢と真直姿勢との間で自由に姿勢変化することができる。したがって、ホルダ本体２０は、釣用バケツ２の平面部分（平面部６）であっても隅部３であっても容易に取り付けられる。また、係止具６０が真直姿勢となるので、釣用バケツ２の外側に平面部６に沿って柄杓ホルダ１０を取り付けることも可能である。なお、基部３１が３つ以上に分割されるときは、係止具６０は、より滑らかに平面部６に沿う。
【００６６】
なお、本発明は、上記実施形態に限定されるものではなく、以下の形態であってもよい。
【００６７】
上記実施形態では、係止具３０，６０が釣用バケツ２を狭持するクリップ状に形成され、基部３１及び作用部３２が互いに対向配置されている形態について説明したが、係止具３０，６０は釣用バケツ２を挟み込むことができれば他の形状のものであってもよい。
【００６８】
また、上記実施形態では、ホルダ本体２０が上面２４に開口２５を有する有底筒状部材からなる形態について説明したが、ホルダ本体２０は上下に開口したものであってもよい。この場合、例えば釣用バケツ２の底部４に柄杓１のカップ１２が当接した状態でホルダ本体２０によって柄杓１が保持されるようにすればよい。また、ホルダ本体２０は略円筒状のものに限定されるものではなく、例えば水平断面が四角形のものであってもよい。
【００６９】
また、上記実施形態では、ホルダ本体２０の上面２４がホルダ本体２０の軸Ｏ方向に直交する仮想面Ｆに対して傾斜している形態について説明したが、上面２４は必ずしも傾斜している必要はない。ただし、上面２４を傾斜させた場合、上述のように開口２５の面積が増大して柄杓１をホルダ本体２０に挿抜する作業が容易になるので、上面２４は上記仮想面Ｆに対して傾斜されていることが好ましい。
【００７０】
また、本実施形態においては、本発明における特定部位が背面部２１である形態について説明したが、特定部位は背面部２１に限定されるものではなく、例えば前面部１８が特定部位であってもよい。
【産業上の利用可能性】
【００７１】
本発明は、釣りに使用される柄杓を保持する柄杓ホルダに適用され得る。
【図面の簡単な説明】
【００７２】
【図１】図１は、本発明の第１の実施形態に係る柄杓ホルダ１０の正面側の外観斜視図である。
【図２】図２は、柄杓ホルダ１０の背面側の外観斜視図である。
【図３】図３は、ホルダ本体２０に固定された係止具３０の拡大斜視図である。
【図４】図４は、係止具３０をホルダ本体２０に固定するための外布２９を示す平面図である。
【図５】図５は、係止具３０の拡大斜視図である。
【図６】図６は、係止具３０の拡大斜視図である。
【図７】図７は、柄杓ホルダ１０の要部拡大側面図である。
【図８】図８は、柄杓ホルダ１０が釣用バケツ２の隅部３に取り付けられる様子を示す斜視図である。
【図９】図９は、柄杓ホルダ１０が取り付けられた釣用バケツ２の隅部３を示す斜視図である。
【図１０】図１０は、柄杓ホルダ１０の係止具３０によって狭持された釣用バケツ２の隅部３を示す拡大斜視図である。
【図１１】図１１は、釣用バケツ２の隅部３に取り付けられた柄杓ホルダ１０に柄杓１が挿し込まれる様子を示す斜視図である。
【図１２】図１２は、本発明の第２の実施形態に係る係止具６０を示す斜視図である。
【図１３】図１３は、本発明の第２の実施形態に係る係止具６０を示す分解斜視図である。
【図１４】図１４は、本発明の第２の実施形態に係る係止具６０が釣用バケツ２の壁１１を挟み込んだ状態を示す模式断面図であり、（ａ）は釣用バケツ２の隅部３を挟み込んだ状態、（ｂ）は、釣用バケツ２の平面部６を挟み込んだ状態を示している。
【符号の説明】
【００７３】
１・・・柄杓
２・・・釣用バケツ
３・・・隅部
６・・・平面部
１０・・・柄杓ホルダ
１２・・・カップ
１３・・・柄部
２０・・・ホルダ本体
２１・・・背面部（特定部位）
２４・・・上面
２５・・・開口
３０，６０・・・係止具
３１・・・基部
３２・・・作用部
３３・・・弾性変形部
３４・・・当接面
３５・・・狭持片
【図１】
2008022747.tif 000003
【図２】
2008022747.tif 000004
【図３】
2008022747.tif 000005
【図４】
2008022747.tif 000006
【図５】
2008022747.tif 000007
【図６】
2008022747.tif 000008
【図７】
2008022747.tif 000009
【図８】
2008022747.tif 000010
【図９】
2008022747.tif 000011
【図１０】
2008022747.tif 000012
【図１１】
2008022747.tif 000013
【図１２】
2008022747.tif 000014
【図１３】
2008022747.tif 000015
【図１４】
2008022747.tif 000016